【手続補正書】
【提出日】平成25年6月11日(2013.6.11)
【手続補正１】
【補正対象書類名】明細書
【補正対象項目名】００２７
【補正方法】変更
【補正の内容】
【００２７】
【数４】
2012002999.tif 000001
条件式（３）は撮影光学系Ｌ０の第１レンズ群Ｌ１中の回折光学素子ＤＯＥのパワーに関する。条件式（３）の上限値を超えると、回折光学素子ＤＯＥにおける回折成分のみによるパワーが弱くなってしまうため、第１レンズ群Ｌ１で発生する色収差を効果的に補正することが困難になるので好ましくない。一方条件式（３）の下限値を超えると、回折光学素子ＤＯＥにおける回折成分のみによるパワーが大きくなってしまう。そうすると回折格子の格子ピッチを細かくする必要がある。回折格子の格子ピッチを細かくすると製造が困難になるため好ましくない。また下限値を超えて回折光学素子ＤＯＥのパワーを大きくし過ぎると、相反関係にある軸上色収差と倍率色収差のバランスがとりにくくなるため好ましくない。条件式（３）は更に好ましくは次の如く設定するのが良い。
【手続補正２】
【補正対象書類名】明細書
【補正対象項目名】００４８
【補正方法】変更
【補正の内容】
【００４８】
図４（Ａ）の実施例４の撮影光学系Ｌ０について説明する。第１レンズ群Ｌ１は、１つの正レンズと１つの負レンズを接合した1組の接合レンズで構成されている第１ａレンズ群Ｌ１ａを有する。更に１つの正レンズと１つの負レンズを接合した１組の接合レンズで構成されている第１ｂレンズ群Ｌ１ｂを有する。第１ａレンズ群Ｌ１ａを構成する接合レンズは回折光学素子ＤＯＥを構成している。回折光学素子ＤＯＥを構成する回折光学部Ｄは、第１ａレンズ群Ｌ１ａの接合面に配置されている。
【手続補正３】
【補正対象書類名】明細書
【補正対象項目名】００５０
【補正方法】変更
【補正の内容】
【００５０】
図５（Ａ）の実施例５の撮影光学系Ｌ０について説明する。第１レンズ群Ｌ１は１つの正レンズと１つの負レンズを接合した１組の接合レンズで構成されている第１ａレンズ群Ｌ１ａを有する。更に、１つの正レンズと１つの負レンズを接合した１組の接合レンズで構成されている第１ｂレンズ群Ｌ１ｂを有する。第１ａレンズ群Ｌ１ａを構成する接合レンズは回折光学素子ＤＯＥを構成している。回折光学素子ＤＯＥを構成する回折光学部Ｄは、第１ａレンズ群Ｌ１ａの接合面に配置されている。第１ａレンズ群Ｌ１ａの最も物体側のレンズ面と、第１ｂレンズ群Ｌ１ｂの最も物体側のレンズ面は非球面である。そして第２レンズ群Ｌ２は１つの正レンズと１つの負レンズを接合した１組の接合レンズから構成されている。そして第２レンズ群Ｌ２の最も像側の面には非球面である。
【手続補正４】
【補正対象書類名】明細書
【補正対象項目名】００６７
【補正方法】変更
【補正の内容】
【００６７】
非球面データ
第1面
ｋ= 3.11694×10-1  Ａ４= -3.26533×10-8  Ａ６= -8.42938×10-12 
Ａ８= -5.18825×10-15  Ａ１０= 8.32510×10-19  Ａ１２= -1.76017×10-22 
Ａ１４= -5.56453×10-26 
第3面
ｋ= -7.00706×10-2  Ａ４= -3.86660×10-7  Ａ６= -1.07198×10-10 
Ａ８= -1.24876×10-13  Ａ１０= 6.07652×10-17  Ａ１２= -5.06077×10-20 
Ａ１４= 1.17419×10-23 
第11面
ｋ= 2.90675  Ａ４= 6.77341×10-8  Ａ６= -4.58312×10-10 
Ａ８= 2.46195×10-12  Ａ１０= -5.03066×10-15  Ａ１２= 3.45470×10-18 
Ａ１４= -5.56453×10-26 
回折光学素子位相係数データ
第4面(回折面)
Ｃ２= -1.05100×10-4  Ｃ４= 2.26461×10-8  Ｃ６= -1.42519×10-11
焦点距離     195.20
Fナンバー      2.05
半画角（度）    6.32
像高          21.64
レンズ全長   227.39
BF            61.13
入射瞳位置   260.53
射出瞳位置   -52.99
前側主点位置 121.83
後側主点位置-134.07
レンズ群データ
群  始面    焦点距離  レンズ構成長  前側主点位置  後側主点位置
L1    1     117.46        78.95        14.10        -53.25
L1a   1     179.91        18.72        -1.61        -14.07
L1b   3     270.37        20.61       -14.90        -27.01
L2    6     -75.85        10.32         7.83          0.04
L3   10     120.94        52.54        32.67         -8.22
L31  10     116.71        13.98         5.95         -3.89
L32  14     -51.63        14.47         4.71         -5.99
L33  19      58.69        18.08         2.78         -9.10
単レンズデータ
レンズ  始面  焦点距離
1       1    179.91
2       3     85.24
3       4   -115.56
4       7    266.20
5       8    -58.73
6      11   -121.57
7      12     59.39
8      14   -114.91
9      16    103.25
10      17    -51.74
11      19     79.56
12      20   -162.32
13      22     93.09
14      24      0.00
【手続補正５】
【補正対象書類名】明細書
【補正対象項目名】００６９
【補正方法】変更
【補正の内容】
【００６９】
非球面データ
第1面
ｋ= -7.42329×10-1  Ａ４= 1.08216×10-7  Ａ６= 8.31570×10-12 
Ａ８= -1.01602×10-15  Ａ１０= 1.29395×10-18  Ａ１２= -4.35175×10-22 
Ａ１４= 5.59426×10-26 
第3面
ｋ= 4.20089  Ａ４= -1.07710×10-6  Ａ６= -4.62181×10-10 
Ａ８= 1.46055×10-14  Ａ１０= -5.14653×10-16  Ａ１２= 5.13399×10-19 
Ａ１４= -3.05151×10-22 
回折光学素子位相係数データ
第4面(回折面)
Ｃ２= -1.17690×10-4  Ｃ４= 2.72326×10-8  Ｃ６= -4.52300×10-11
Ｃ８= 4.58985×10-14  Ｃ１０= -1.72277×10-17
焦点距離     293.96
Fナンバー      2.91
半画角（度）    4.21
像高          21.64
レンズ全長   266.78
BF            58.80
入射瞳位置   410.57
射出瞳位置   -67.55
前側主点位置  20.66
後側主点位置-235.16
レンズ群データ
群  始面    焦点距離  レンズ構成長  前側主点位置  後側主点位置
L1    1     133.93        93.45        33.82        -60.83
L1a   1     196.15        17.94        -0.97        -12.97
L1b   3     270.82        14.37        -3.76        -12.80
L2    6    -100.42         2.10         1.38         -0.00
L3    8     357.02        67.03        64.41         11.04
L31   8     107.41        17.55        10.51         -3.25
L32  12     -34.88        12.75         8.33         -1.21
L33  17      57.46        32.95         8.32        -17.92
単レンズデータ
レンズ  始面  焦点距離
1       1    196.15
2       3    108.90
3       4   -182.19
4       6   -100.42
5       9    -84.43
6      10     47.37
7      12     81.87
8      13    -49.25
9      15    -48.59
10      18     44.15
11      19    -67.57
12      21     99.80
13      23      0.00
【手続補正６】
【補正対象書類名】明細書
【補正対象項目名】００７１
【補正方法】変更
【補正の内容】
【００７１】
非球面データ
第1面
ｋ= -3.61917×10-1  Ａ４= 2.45793×10-8  Ａ６= 1.77214×10-12 
Ａ８= -9.63530×10-18  Ａ１０= 1.40035×10-20 
第3面
ｋ= -4.36706  Ａ４= 2.40172×10-7  Ａ６= -6.26103×10-11 
Ａ８= 1.19752×10-14  Ａ１０= -3.09581×10-18  Ａ１２= 4.98485×10-23 
第8面
ｋ= 9.74715×10-2  Ａ４= 3.89494×10-8  Ａ６= -3.58095×10-11 
Ａ８= 5.26921×10-14  Ａ１０= -2.23537×10-17 
第18面
ｋ= -2.11573×10-1  Ａ４= -1.55911×10-7  Ａ６= -1.89445×10-10 
Ａ８= 3.51250×10-13  Ａ１０= -3.79230×10-16 
回折光学素子位相係数データ
第4面(回折面)
Ｃ２= -4.98533×10-5  Ｃ４= 2.94123×10-9  Ｃ６= -1.15774×10-12
焦点距離     390.43
Fナンバー      2.90
半画角（度）    3.17
像高          21.64
レンズ全長   369.05
BF            57.21
入射瞳位置   896.51
射出瞳位置   -64.69
前側主点位置  36.45
後側主点位置-333.2
レンズ群データ
群  始面    焦点距離  レンズ構成長  前側主点位置  後側主点位置
L1    1     191.14       126.82        43.78        -84.29
L1a   1     281.91        23.04        -3.09        -18.38
L1b   3     391.48        18.84        -7.32        -19.20
L2    6    -136.87         8.43         6.25          1.58
L3    9     389.13        77.39        20.69        -42.84
L31   9     230.52        22.13        17.67          0.04
L32   13     -47.07        16.35        13.85          1.00
L33   18      53.57        31.44         0.28        -24.32
単レンズデータ
レンズ  始面  焦点距離
1       1    281.91
2       3    138.87
3       4   -209.90
4       6    302.47
5       7    -93.05
6      10    -65.42
7      11     51.81
8      13     54.49
9      14    -46.87
10      16    -50.43
11      18     71.20
12      20   -432.37
13      21    145.58
14      23      0.00
【手続補正７】
【補正対象書類名】明細書
【補正対象項目名】００７３
【補正方法】変更
【補正の内容】
【００７３】
非球面データ
第1面
ｋ= 2.61200×10-1  Ａ４= -3.21156×10-8  Ａ６= -1.77315×10-12 
Ａ８= -5.84324×10-17  Ａ１０= -1.28282×10-20  Ａ１２= 9.26465×10-25 
Ａ１４= -8.46983×10-29 
第4面
ｋ= 2.50912  Ａ４= -2.59429×10-7  Ａ６= -2.33712×10-11 
Ａ８= -3.16046×10-14  Ａ１０= 3.49986×10-17  Ａ１２= -1.59925×10-20 
Ａ１４= 1.34624×10-24 
回折光学素子位相係数データ
第2面(回折面)
Ｃ２= -2.05427×10-5  Ｃ４= 3.51912×10-10  Ｃ６= -1.61132×10-14
Ｃ８= 3.48003×10-18  Ｃ１０= -3.22948×10-22 
焦点距離     584.93  
Fナンバー      4.12  
半画角（度）    2.12  
像高          21.64  
レンズ全長   401.79  
BF            82.07  
入射瞳位置   1492.32  
射出瞳位置   -77.71  
前側主点位置 -64.14  
後側主点位置-502.86  
レンズ群データ
群  始面    焦点距離  レンズ構成長  前側主点位置  後側主点位置
L1    1     260.47       172.86        -4.56       -155.98
L1a   1     265.48        30.86         1.32        -18.87
L1b   4  -79126.10        12.00      1638.44       1597.60
L2    7    -149.70         5.30         2.99          0.13
L3   10     579.90        66.51       162.52        148.08
L31  10     281.74        15.26        14.09          2.15
L32  14     -41.57         8.50         3.48         -2.69
L33  19      59.13        37.22         9.07        -24.73
単レンズデータ
レンズ  始面  焦点距離
1       1    233.23
2       2  -1980.86
3       4    185.45
4       5   -181.28
5       7   1649.26
6       8   -137.05
7      11    -50.15
8      12     43.33
9      14    217.26
10      15    -59.06
11      17    -89.71
12      19    101.49
13      21   -350.06
14      22     88.32
15      24      0.00
【手続補正８】
【補正対象書類名】明細書
【補正対象項目名】００７５
【補正方法】変更
【補正の内容】
【００７５】
非球面データ
第1面
ｋ= 1.69585×10-1  Ａ４= -7.15187×10-9  Ａ６= -2.82795×10-13 
Ａ８= -1.85228×10-16  Ａ１０= 4.30052×10-21  Ａ１２= 2.82371×10-24 
Ａ１４= -3.72223×10-28 
第4面
ｋ= 2.60765×10-3  Ａ４= -9.39197×10-8  Ａ６= -2.13547×10-11 
Ａ８= 2.17446×10-16  Ａ１０= 4.89125×10-18  Ａ１２= -3.55012×10-21 
Ａ１４= 7.10652×10-25 
第9面
ｋ= 2.16633  Ａ４= -4.85657×10-8  Ａ６= -1.20783×10-11 
Ａ８= -3.04459×10-15  Ａ１０= 3.29034×10-17  Ａ１２= -3.80144×10-20 
Ａ１４= 1.32879×10-23 
第21面
ｋ= -6.65834×10-1  Ａ４= 2.08542×10-7  Ａ６= 6.71257×10-10 
Ａ８= -5.56397×10-12  Ａ１０= 2.13048×10-14  Ａ１２= -3.73667×10-17 
Ａ１４= 2.46283×10-20 
回折光学素子位相係数データ
第2面(回折面)
Ｃ２= -1.51480×10-5  Ｃ４= 2.92997×10-10  Ｃ６= -2.41768×10-15
焦点距離     390.10  
Fナンバー      2.90  
半画角（度）    3.17  
像高          21.64  
レンズ全長   368.99  
BF            63.77  
入射瞳位置   909.32  
射出瞳位置   -56.95  
前側主点位置  38.82  
後側主点位置-326.33  
レンズ群データ
群  始面    焦点距離  レンズ構成長  前側主点位置  後側主点位置
L1    1     261.84       129.77       -21.10       -117.94
L1a   1     275.00        30.13        -0.06        -20.04
L1b   4   -9135.72        20.75       635.46        581.30
L2    7    -260.25         6.47         5.33          1.79
L3   10     449.65        64.77        25.08        -30.38
L31  10     155.16        14.73         6.60         -3.86
L32  14     -43.32        12.06         8.53          0.20
L33   19      61.80        23.84         3.47        -14.43
単レンズデータ
レンズ  始面  焦点距離
1       1    250.89
2       2   -2930.93
3       4    123.31
4       5   -113.92
5       7    522.28
6       8   -172.51
7      11   -103.98
8      12     62.38
9      14     59.19
10      15    -44.07
11      17    -55.05
12      19    130.03
13      21     67.28
14      22   -157.80
15      24      0.00
【手続補正９】
【補正対象書類名】明細書
【補正対象項目名】００７７
【補正方法】変更
【補正の内容】
【００７７】
非球面データ
第1面
ｋ= -1.44299  Ａ４= 3.11191×10-7  Ａ６= 7.16264×10-12 
Ａ８= 6.26100×10-15  Ａ１０= -2.26475×10-18  Ａ１２= 5.67202×10-22 
Ａ１４= -4.70118×10-26 
第3面
ｋ= 9.06066×102  Ａ４= -3.62723×10-7  Ａ６= 7.34584×10-11 
Ａ８= -3.05870×10-13  Ａ１０= 4.45187×10-16  Ａ１２= -3.25205×10-19 
Ａ１４= 9.90121×10-23 
第6面
ｋ= 4.29206  Ａ４= -7.29665×10-7  Ａ６= -2.49292×10-10 
Ａ８= -3.54999×10-13 
第21面
ｋ= 1.00536×101  Ａ４= -4.23290×10-7  Ａ６= -6.97320×10-11 
Ａ８= -5.10808×10-14 
回折光学素子位相係数データ
第4面(回折面)
Ｃ２= -9.46831×10-5  Ｃ４= -1.79365×10-8  Ｃ６= 5.20740×10-11
Ｃ８= -1.01184×10-13  Ｃ１０= 5.30470×10-17 
焦点距離     293.49  
Fナンバー      2.91  
半画角（度）    4.22  
像高          21.64  
レンズ全長   271.90  
BF            62.89  
入射瞳位置   354.74  
射出瞳位置   -87.34  
前側主点位置  74.84  
後側主点位置-230.61  
レンズ群データ
群  始面    焦点距離  レンズ構成長  前側主点位置  後側主点位置
L1    1     282.44        92.72       -69.06       -124.06
L1a   1     191.76        18.06        -1.93        -13.93
L1b   3    -343.21         7.79         0.78         -3.92
L2    6     264.13         5.00        -1.93         -5.19
L3    8    -799.72        70.18      -213.31       -378.24
L31   8     468.28        17.26        15.47          1.97
L32  12     -34.32        13.82         9.35         -1.26
L33  17      57.62        35.33        13.73        -15.08
単レンズデータ
レンズ  始面  焦点距離
1       1    191.76
2       3   -166.45
3       4    305.30
4       6    264.13
5       9    -47.66
6      10     43.75
7      12     57.53
8      13    -42.42
9      15    -43.48
10      18     60.67
11      19   -172.57
12      21    140.17
13      23      0.00
【手続補正１０】
【補正対象書類名】明細書
【補正対象項目名】００７９
【補正方法】変更
【補正の内容】
【００７９】
非球面データ
第1面
ｋ= -6.14463×10-1  Ａ４= 8.54185×10-8  Ａ６= 4.32621×10-12 
Ａ８= -6.67336×10-16  Ａ１０= 1.36227×10-18  Ａ１２= -4.55872×10-22 
Ａ１４= 5.37448×10-26 
第4面
ｋ= 3.51567  Ａ４= -1.11556×10-6  Ａ６= -4.53864×10-10 
Ａ８= -2.42878×10-14  Ａ１０= -5.86338×10-16  Ａ１２= 6.00795×10-19 
Ａ１４= -3.70400×10-22 
回折光学素子位相係数データ
第2面(回折面)
Ｃ２= -4.00052×10-5  Ｃ４= 2.98192×10-9  Ｃ６= -1.82246×10-12
Ｃ８= 7.12777×10-16    Ｃ１０= -9.91647×10-20
焦点距離     295.63  
Fナンバー      2.91  
半画角（度）    4.19  
像高          21.64  
レンズ全長   264.00  
BF            56.02  
入射瞳位置   409.13  
射出瞳位置   -62.62  
前側主点位置 -31.89  
後側主点位置-239.61  
レンズ群データ
群  始面    焦点距離  レンズ構成長  前側主点位置  後側主点位置
L1    1     133.93        95.28        33.18        -62.15
L1a   1     195.35        19.37        -0.65        -13.62
L1b   4     274.69        14.77        -5.39        -14.59
L2    7    -100.42         2.10         1.33          0.03
L3    9     443.81        66.51        53.69         -1.54
L31   9     107.41        17.36        10.30         -3.35
L32  13     -34.88        12.51         8.84         -0.57
L33  18      57.46        32.85         6.86        -19.41
単レンズデータ
レンズ  始面  焦点距離
1       1    218.88
2       2    1511.50
3       4    106.05
4       5   -164.59
5       7   -100.42
6      10    -91.96
7      11     49.57
8      13     67.94
9      14    -47.51
10      16    -43.92
11      19     42.55
12      20    -72.40
13      22    124.24
14      24      0.00